(57)【要約】【課題】ドアの枠体に網戸を簡単に取り付ける。また、その取付状態を安定させる。【解決手段】左右の障子縦枠２１にＬ形係止具２４を取り付ける。カバー５０のＬ形係止具２４の位置に対応する位置に、Ｌ形係止具２４が係合可能な係合用スリット５１ａを穿設する。カバー５０の下部には止具５３を付設する。Ｌ形係止具２４に係合用スリット５１ａを係合させた状態において、止具５３を枠体２３に固着する。止具５３は、枠体２３に当接する鉛直部５３ａと、鉛直部５３ａの端部近傍から立設させた水平部５３ｂとからなる。両部にはネジ係止用開放長孔５５ｃを連続的に形成し、該ネジ係止用開放長孔５５ｃにネジ３４を挿通させて、止具５３を枠体２１，２３に固着したとき、水平部５３ｂがネジ３４の抜け止めを防止する。【選択図】  図１
2004257074.tif 000002
【特許請求の範囲】
【請求項１】
枠体を具備する建物開口部又は前記開口部に装着する枠体を備えた障子のカバー取付装置であって、前記枠体の左右にＬ形係止具を取り付け、且つカバーの前記Ｌ形係止具に対応する位置に前記Ｌ形係止具が係合可能な係合用スリットを穿設し、更に、前記カバーの下部には止具を付設し、前記Ｌ形係止具に前記係合用スリットを係合させた状態において、前記止具を枠体に固着することを特徴とする建物開口部又は障子のカバー取付装置。
【請求項２】
前記止具は、枠体と平行な鉛直部と、該鉛直部の端部近傍から立設させた水平部と、を具備すると共に、前記両部にはネジ係止用開放長孔を連続的に形成し、該ネジ係止用開放長孔にネジを挿通させて、前記止具を枠体に装着したとき、前記水平部がネジの抜け止めとなるように構成することを特徴とする請求項１記載の建物開口部又は障子のカバー取付装置。
【発明の詳細な説明】
【０００１】
【発明が属する技術分野】
本発明は、建物開口部又は障子への網戸等のカバーの取付装置に関するものである。また、特に、建物開口部の換気枠への外部カバー、網等の取付・固定に関するものである。
【０００２】
【従来の技術】
従来、窓、ドア等建物の開口部に装着される外部カバーや網戸は、下記特許文献１又は特許文献２に示されるように、けんどん式、引掛け金具或いはねじ止め等にて、枠体に固定していた。
【０００３】
【特許文献１】実開平１−９２４９６号公報
【０００４】
【特許文献２】実公平６−１６１２１号公報
【０００５】
【発明が解決しようとする課題】
しかしながら、上記従来技術による網戸等の取付では枠体から抜けてしまうことがあるばかりでなく、その取り付けが煩雑であった。そこで、本発明は、上記従来技術の実情に鑑み発明されたもので、取り付けが簡単で、ガタツキが無く、抜けにくい網戸等の取付装置を提供することを課題とするものである。
【０００６】
【課題を解決するための手段】
上記課題を解決するために、本発明は下記の手段を採用した。即ち、
請求項１記載の建物開口部又は障子のカバー取付装置は、枠体を具備する建物開口部又は前記開口部に装着する枠体を備えた障子のカバー取付装置であって、前記枠体（２１，２３）の左右にＬ形係止具（２４）を取り付け、且つ、カバー（５０）の前記Ｌ形係止具（２４）に対応する位置に前記Ｌ形係止具（２４）が係合可能な係合用スリット（５１ａ）を穿設し、更に、前記カバー（５０）の下部には止具（５３）を付設し、前記Ｌ形係止具（２４）に前記係合用スリット（５１ａ）を係合させた状態において、前記止具（５３）を枠体（２３）に固着することを特徴とする。
【０００７】
請求項２記載の建物開口部又は障子のカバー取付装置は、請求項１記載の建物開口部又は障子のカバー取付装置において、前記止具（５３）は、枠体（２３）と平行な鉛直部（５３ａ）と、該鉛直部（５３ａ）の端部近傍から立設させた水平部（５３ｂ）と、を具備すると共に、前記両部にはネジ係止用開放長孔（５５ｃ）を連続的に形成し、該ネジ係止用開放長孔（５５ｃ）にネジ（３４）を挿通させて、前記止具（５３）を枠体（２３）に装着したとき、前記水平部（５３ｂ）がネジ（３４）の抜け止めとなるように構成することを防止することを特徴とする。
【０００８】
【発明の実施の形態】
以下、本発明の実施形態について説明する。図１は本発明を適用するドアの室内側正面図、図２は同ドアに適用する網戸の取付側の正面図、図３は同網戸をドアに取り付けた状態の室内側正面図、図４は図１のＡ部の概略縦断面図、図５は図２のＢ部の概略縦断面図、図６は図２のＣ部の概略縦断面図、図７は本発明の作用（係合状態）を説明するための部分断面図、図８は図３のＤ−Ｄ線の概略断面図、図９は図３のＥ部の正面図である。
この発明のカバー取付装置は、建物開口部に開閉可能に取り付けられるガラス障子、ドア等に適用される。実施形態では、ガラス障子であるが、その他、下部がガラリ等であってもよい。
【０００９】
（全体）
本実施形態は、図１に示すように、ドアであって、建物の入口（開口部）に開閉可能に軸着されるドア枠１０に保持され、その縦枠１１及び横枠１３内に上下に開閉可能な開閉ガラス４０を備えている。前記開閉ガラス４０は、ドア枠１０内に保持される障子縦枠２１と障子横枠２３からなる枠体に保持されている。なお、この開閉ガラス４０は枠体から取り外し可能であってもよい。また、符号１４はドアの把手である。
【００１０】
（網戸５０の装着）
本実施形態は、図１に示すように、ドアの室外側の破線の位置に網戸５０を着脱可能に付設する場合について説明する。また、網戸５０は、図２に示すように、上記障子縦枠２１及び障子横枠２３からなる枠体に装着される。網戸５０を枠体２１，２３に取り付けるに当っては、左右の障子縦枠２１に、それぞれＬ形係止具２４を左右同一高さに取り付ける。
【００１１】
（Ｌ形係止具２４）
該Ｌ形係止具２４は金属製素材からなり、図４に示すように、Ｌ字形で一端が左右の障子縦枠２１に一体に装着される水平部材２４ａと、該水平部材２４ａの他端に略９０度の角度で一体に形成される垂直部材２４ｂとからなる。また、垂直部材２４ｂの内側下方は障子縦枠２１側に傾斜している（傾斜部２４ｃ）。
【００１２】
（網戸５０）
上記ドアのドア枠１０には、必要に応じて網戸５０が装着される。この実施形態にかかる網戸５０は、図１に示すように、ドア枠１０内に形成されている枠体２１，２３の室外側に装着される。該網戸５０は左右の網戸縦框５１と上下の網戸横框５２と、これらの框に支持される網６０とからなる。上記左右の網戸縦框５１には、それぞれ前記Ｌ形係止具２４が挿入可能な大きさで上下に所定長さの長方形で溝状の係合用スリット５１ａが穿設されている。
【００１３】
（係合用スリット５１ａ）
即ち、前記網戸５０を障子縦枠２１に装着した状態において、左右の網戸縦框５１には、Ｌ形係止具２４が係合可能な係合用スリット５１ａがそれぞれ穿設されている。また、この係合用スリット５１ａの上方には、網戸縦框５１の表面からは目視できない状態でスリット延接部５１ｂが穿設されている。
なお、係合用スリット５１ａ及びスリット延接部５１ｂを穿設する部材は網戸縦框５１としたが、カバーがそのものの板状部、ホロー材、セミホロー材等としても良い。
【００１４】
（止具５３）
更に、図６乃至図９に示すように、前記網戸５０の下部には止具５３を付設し、前記Ｌ形係止具２４に前記係合用スリット５１ａが係合状態において、前記止具５３を障子横枠２３に固着する。前記止具５３は、障子横枠２３に平行である鉛直部５３ａと、該鉛直部５３ａの端部近傍から立設させた水平部５３ｂと、を具備し、両部にはネジ係止用開放長孔５５ｃを連続的に形成し、該ネジ係止用開放長孔５５ｃにネジ３４を挿通させて、前記止具５３を障子横枠２３に固着したとき、前記水平部５３ｂにネジ頭３４ａが当接又は近接させネジ３４の抜け止めを防止するものである。なお、図１における符号２５はネジ孔である。
【００１５】
（作用）
上記構成において、ドアの室外面に網戸５０を装着するには、図７，８に示すように、ドア側のＬ形係止具２４に、網戸５０側の係合用スリット５１ａを係合させた上、網戸５０を下動させ、上記Ｌ形係止具２４の先端をスリット延接部５１ｂに至らしめる。
【００１６】
このとき、Ｌ形係止具２４の傾斜部２４ｃが係合用スリット５１ａの壁面に当接・案内され、網戸５０は障子縦枠２１に密着勝手となる。次いで、網戸５０側の止具５３のネジ係止用開放長孔５５ｃにネジ３４を挿通し、定着すればよい。
【００１７】
この取付状態においては、図８に示すように、網戸５０は２個のＬ形係止具２４及び止具５３を介して固定されており、この状態において、網戸５０はＬ形係止具２４によって下動不可であり、且つ、図９に示すように、止具５３の水平部５３ｂによって上動も不可であるから、強固な固定状態が実現する。
【００１８】
逆に、ドアから網戸５０を取外す場合には、ネジ３４を緩めて止具５３を分離し、網戸５０を上動させればよい。
【００１９】
（効果）
上記構成により、ドア枠１０に網戸５０を簡単に取付・取外しすることができる。また、ネジ３４を障子横枠２３から完全に抜き取らなくても網戸５０は枠体からはずすことが出来るから、ねじを紛失することはなく、また、施工現場での取付けのねじ止めは１箇所と少なく、作業性がよい。
【００２０】
（別例）
なお、上記実施形態の別例として、図１０乃至図１２に示すように、障子縦枠２１に係合用スリット５１ａを穿設し、網戸縦框５１にＬ形係止具２４を設けて、図１２に示すような取付状態としても良い。なお、図１０は図１のＡ部に相当する別例の概略縦断面図、図１１は図２のＢ部に相当する同別例の概略縦断面図、そして、図１２は網戸をドアに取り付けた状態の同別例の作用（係合状態）を説明するための部分概略断面図である。
また、上記実施形態は、網戸５０を枠体の室外側に取り付けた例を示したが、枠体の室内側に取り付けてもよい。
【００２１】
また、網戸の外、枠体に網戸に代えてカバーを装着する場合には、同一のＬ形係止具２４や止具５３を用いて固定することができる。また、網戸５０に加えて化粧カバーを重ねて付ける場合には、先付けの網戸５０に対して、後付けの化粧カバーだけを止具５３を介してネジ３４により固定してもよい。
【００２２】
上記実施形態によれば、Ｌ形係止具ネジ２４やネジ係止用開放長孔５５ｃは、網戸５０の取付状態において目視できないから、意匠上好ましい。
【００２３】
なお、上記実施形態においては、Ｌ形係止具２４を障子縦枠２１に設けたが、障子横枠２３の両側に取り付けてもよい。また、上記実施形態においては、止具５３を網戸５０の下方に取り付けたが、網戸５０の上方に取り付けてもよい。
【００２４】
また、上記実施形態においては、障子縦枠２１及び障子下枠２３に網戸５０を縦方向に移動させながら装着する場合を示したが、上下の障子横枠２３及び障子縦枠２１に、網戸５０を横方向に移動させながら装着する構成であってもよい。また、上記実施態様では、ドアに開閉障子が設けられており、このドアの枠体側に網戸が装着される場合について説明したが、その他、開閉部材の枠体（框）或いは開口部の枠体（サッシ枠）のいずれにも適用できることは言うまでもない。
【００２５】
また、他の実施形態として、止具を、カバー枠への取付部を具備する水平部と、該水平部に連なる鉛直部とから構成し、両部材にネジ係止用開放長孔を連続させて構成させ、鉛直部をビス頭の抜け止めとしてもよい。
【００２６】
即ち、図１３に示すように、網戸をドアに取り付けるに当って、止具５３’は、網戸横枠（下枠）５２への取付部５３ｃ’から室内向きに水平部５３ｂ’が形成され、更に、その端部から鉛直部５３ａ’が立設され、しかも、この水平部５３ｂ’及び鉛直部５３ａ’に連続させて前記実施形態と同様にネジ係止用開放長孔を形成されている形状のものを使用する。ネジ３４による取り付け手段は、前記実施形態と変わるものではないが、ネジ３４は下向きのネジ止め作業となるために、その作業が容易であるという効果もある。なお、この別例の実施形態における開閉ガラス４０’は上げ下げ窓であり、この取付に当っては、開閉ガラス４０’を上動させた状態で行うことはいうまでもない。
【００２７】
【発明の効果】
本発明は、上記構成により、ドア等の枠体にカバー等を簡単に取付けることができ、また、その取付状態が安定するという効果がある。
【図面の簡単な説明】
【図１】本発明を適用するドアの室内側正面図。
【図２】同ドアを適用する網戸の取付側の正面図。
【図３】同網戸をドアに取り付けた状態の室内側正面図。
【図４】図１のＡ部の概略縦断面図。
【図５】図２のＢ部の概略縦断面図。
【図６】図２のＣ部の概略縦断面図。
【図７】本発明の作用（係合状態）を説明するための部分断面図。
【図８】図３のＤ−Ｄ線の概略断面図。
【図９】図３のＥ部の正面図。
【図１０】図１のＡ部に相当する別例の概略縦断面図。
【図１１】図２のＢ部に相当する同別例の概略縦断面図。
【図１２】網戸をドアに取り付けた状態の同別例の作用（係合状態）を説明するための部分概略断面図。
【図１３】本発明の更に別例の網戸をドアに取り付けた状態の止具の断面図。
【符号の説明】
１・・躯体  １０・・ドア枠    １１・・縦枠  １３・・横枠  １４・・把手
２１・・障子縦枠（枠体）  ２３・・障子横枠（枠体）  ２４・・Ｌ形係止具
２４ａ・・水平部材  ２４ｂ・・垂直部材    ２４ｃ・・傾斜部
２５・・ネジ孔
３４・・ネジ    ３４ａ・・ネジ頭    ４０，４０’・・開閉ガラス
５０・・網戸（カバー）
５１・・網戸縦框    ５１ａ・・係合用スリット    ５１ｂ・・スリット延接部
５２・・網戸横框    ５３，５３’・・止具        ５３ａ，５３ａ’・・鉛直部
５３ｂ，５３ｂ’・・水平部      ５３ｃ’・・取付部
５５ｃ・・ネジ係止用開放長孔      ６０・・網
【図１】
2004257074.tif 000003
【図２】
2004257074.tif 000004
【図３】
2004257074.tif 000005
【図４】
2004257074.tif 000006
【図５】
2004257074.tif 000007
【図６】
2004257074.tif 000008
【図７】
2004257074.tif 000009
【図８】
2004257074.tif 000010
【図９】
2004257074.tif 000011
【図１０】
2004257074.tif 000012
【図１１】
2004257074.tif 000013
【図１２】
2004257074.tif 000014
【図１３】
2004257074.tif 000015